(57)【要約】要約課題携帯端末に取り付ける保護部材を簡便で正確な貼り付け位置合わせを提供しつつ、可及的に指紋の付着を排除することができる保護部材取り付け装置とその装置を使用した取り付け方法を提供することである。課題を解決するための手段携帯端末に保護部材を取り付けるために前記携帯端末を固定するための携帯端末取り付け部と、を具備するベース部と、前記ベース部の上に載置するトップボード部と、前記トップボード部に取り付けて前記保護部材と密着するハンドツール部と、を有し、前記ベース部は、前記トップボード部を載置したときにそのトップボード部との位置を規定する係合部と、前記トップボード部は、前記ハンドツール部と嵌合するための嵌合部と、前記ハンドツール部は、前記嵌合部と嵌合し、前記保護部材を一時的に取り付けるための、剥離可能な粘着部と、をさらに具備するというものである。選択図          図１
2019130575.tif 000002
【特許請求の範囲】
【請求項１】
携帯端末に保護部材を取り付けるために前記携帯端末を固定するための携帯端末取り付け部と、を具備するベース部と、
前記ベース部の上に載置するトップボード部と、
前記トップボード部に取り付けて前記保護部材と密着するハンドツール部と、を有し、
前記ベース部は、前記トップボード部を載置したときにそのトップボード部との位置を規定する係合部と、
前記トップボード部は、前記ハンドツール部と嵌合するための嵌合部と、
前記ハンドツール部は、前記嵌合部と嵌合し、前記保護部材を一時的に取り付けるための、剥離可能な粘着部と、をさらに具備する携帯端末に保護部材を取り付ける保護部材取り付け装置。
【請求項２】
前記ベース部は、前記トップボード部を載置したときに、そのトップボード部を上方に浮上させておくための浮上部と、をさらに具備する請求項１記載の携帯端末に保護部材を取り付ける保護部材取り付け装置。
【請求項３】
前記トップボード部は、保護部材を押さえつけるために手を差し入れるための押さえ孔部と、をさらに具備する請求項１または２記載の携帯端末に保護部材を取り付ける保護部材取り付け装置。
【請求項４】
前記トップボード部は、透明な素材で構成されている請求項１から３のいずれかに記載の携帯端末に保護部材を取り付ける保護部材取り付け装置。
【請求項５】
前記請求項１から４いずれか記載の保護部材取り付け装置を使用して携帯端末に保護部材を取り付ける保護部材取り付け方法であって、
前記携帯端末を、前記ベース部に配置する、携帯端末配置工程と、
前記携帯端末に、前記保護部材を載置する保護部材載置工程と、
前記保護部材上に、前記トップボード部を配置するトップボード部配置工程と、
前記トップボード部における嵌合部に、前記ハンドツール部を配置するハンドツール部配置工程と、
前記ハンドツール部を押圧して、そのハンドツール部と前記保護部材を密着させるハンドツール部密着工程と、
前記ハンドツール部を持ち上げるハンドツール部持ち上げ工程と、
前記ハンドツール部持ち上げ工程によって持ち上げた前記ハンドツール部と前記トップボード部と前記保護部材と、から、前記保護部材に付いている剥離紙をはがす、剥離紙除去工程と、
前記トップボード部を、携帯端末が配置されている前記ベース部に載置する、トップボード部載置工程と、
前記ハンドツール部を再び押圧するハンドツール部押圧工程と、
前記ハンドツール部および前記トップボード部の取り外し工程と、を有する保護部材取り付け装置を使用して携帯端末に保護部材を取り付ける保護部材取り付け方法。
【発明の詳細な説明】
【技術分野】
【０００１】
本発明は、スマートフォンなどの携帯端末の画面に保護フィルム類の保護部材を取り付ける装置及び保護部材の取り付け方法に関するものである。
【背景技術】
【０００２】
スマートフォンと呼ばれる携帯端末の画面は、いわゆるタッチパネルとして機能するものであり、画面にタッチして操作するために指紋などの汚れや傷からその画面を保護するために透明な合成樹脂製の保護フィルムや薄い保護ガラスなどの保護部材を取り付ける場合がある。【０００３】
その保護部材は、その画面に取り付ける面に、粘着層を有するために、その粘着層に取り付けられている剥離紙を外してからその画面に取り付ける。【０００４】
しかしながらこの保護部材の取り付け作業は難しく、粘着面にごみや指紋が付いて汚れたり、画面からずれて貼られるといった不具合が生じる場合がある。【０００５】
これを解決するものとして、特開２０１４−１６９０９８号公報に「機器に搭載されるモニタ画面に前記モニタ画面を保護するための保護フィルムを貼付するために用いられる画面保護フィルム貼付補助具であって、前記モニタ画面の少なくとも一部、及びその側面を囲うように成型されたフレームと、前記フレームを前記機器に装着して前記モニタ画面上をスライドさせることにより、前記モニタ画面に付着した除去対象物を除去するための除去用部材と、前記フレームに設けられ、前記除去用部材が前記モニタ画面上をスライドした後に、前記保護フィルムの貼付面が前記モニタ画面を向くように前記保護フィルムを供給するための供給用間隙部と、前記供給用間隙部を通して供給された前記保護フィルムの貼付面が前記モニタ画面に接するように押圧するための押圧用部材とを備えることを特徴とする画面保護フィルム貼付補助具。」が開示されている。【０００６】
この画面保護フィルム貼付補助具は、その粘着層に取り付けられている剥離紙を外し、取り付け開始位置においてその画面フィルムを取り付けなければならず、その点については従来の手で取り付けることと変わることがない。従って、その段階でその粘着層に指紋や埃がつく可能性を必ずしも排除することができない。
【先行技術文献】
【特許文献】
【０００７】
【特許文献１】特開２０１４−１６９０９８号公報
【発明の概要】
【発明が解決しようとする課題】
【０００８】
本発明は前記の点に鑑みなされたもので、その課題は、携帯端末に取り付ける保護部材を簡便で正確な貼り付け位置合わせをしつつ、可及的に指紋の付着を排除することができる保護部材取り付け装置とその装置を使用した取り付け方法を提供することである。
【課題を解決するための手段】
【０００９】
前記の課題を解決するため、第１観点の保護部材取り付け装置は、携帯端末に保護部材を取り付けるために前記携帯端末を固定するための携帯端末取り付け部と、を具備するベース部と、ベース部の上に載置するトップボード部と、トップボード部に取り付けて保護部材と密着するハンドツール部と、を有し、ベース部は、トップボード部を載置したときにそのトップボード部との位置を規定する係合部と、トップボード部は、前記ハンドツール部と嵌合するための嵌合部と、ハンドツール部は、嵌合部と嵌合し、保護部材を一時的に取り付けるための、剥離可能な粘着部と、をさらに具備するというものである。【００１０】
また、第２観点の保護部材取り付け装置は、第１観点において、ベース部は、トップボード部を載置したときに、そのトップボード部を上方に浮上させておくための浮上部と、をさらに具備するというものである。【００１１】
また、第３観点の保護部材取り付け装置は、第１観点または第２観点において、トップボード部は、保護部材を押さえつけるために手を差し入れるための押さえ孔部と、をさらに具備するというものである。【００１２】
また、第４観点の保護部材取り付け装置は、第１観点から第３観点において、トップボード部は、透明な素材で構成されているというものである。【００１３】
また、第５観点の保護部材を取り付け方法は、第１観点から第４観点の保護部材取り付け装置を使用して携帯端末に保護部材を取り付ける保護部材を取り付け方法であって、携帯端末を、前記ベース部に配置する、携帯端末配置工程と、携帯端末に、保護部材を載置する保護部材載置工程と、保護部材上に、トップボード部を配置するトップボード部配置工程と、トップボード部における嵌合部に、ハンドツール部を配置するハンドツール部配置工程と、ハンドツール部を押圧して、そのハンドツール部と保護部材を密着させるハンドツール部密着工程と、ハンドツール部を持ち上げるハンドツール部持ち上げ工程と、ハンドツール部持ち上げ工程によって持ち上げたハンドツール部とトップボード部と前記保護部材と、から、保護部材に付いている剥離紙をはがす、剥離紙除去工程と、トップボード部を、携帯端末が配置されているベース部に載置する、トップボード部載置工程と、ハンドツール部を再び押圧するハンドツール部押圧工程と、ハンドツール部および前記トップボード部の取り外し工程と、を有する保護部材取り付け装置を使用して携帯端末に保護部材を取り付ける保護部材取り付け方法である。
【発明の効果】
【００１４】
本発明は以上のように構成され、かつ、作用するものであるから、携帯端末に取り付ける携帯端末に取り付ける保護部材を簡便で正確な貼り付け位置合わせを提供しつつ、可及的に指紋の付着を排除することができる保護部材取り付け装置とその装置を使用した取り付け方法を提供することができる。
【図面の簡単な説明】
【００１５】
【図１】保護部材取り付け装置と保護部材と携帯端末との全体斜視図である。
【図２Ａ】ベース部の平面図である。
【図２Ｂ】ベース部の右側面図である。
【図２Ｃ】ベース部の側面図である。
【図２Ｄ】図２ＡのＩＩＤ−ＩＩＤ線拡大断面図である。
【図３】Ａは、トップボード部の平面図である。Ｂは、トップボード部の側面図である。Ｃは、トップボード部の右側面図である。
【図４】Ａは、ハンドツール部の側面図である。Ｂは、ハンドツール部の平面図である。Ｃは、ハンドツール部の側面図である。
【図５】Ａは、保護部材の平面図である。Ｂは、保護部材の側面図である。
【図６】携帯端末配置工程の状態図である。
【図７】保護部材載置工程の状態図である。
【図８】トップボード部配置工程の状態図である。
【図９】ハンドツール部配置工程の状態図である。
【図１０】Ａは、ハンドツール部密着工程の状態図である。Ｂは、ＡのＸＢ−ＸＢ線拡大断面図である。
【図１１】ハンドツール部持ち上げ工程の状態図である。
【図１２】剥離紙除去工程の状態図である。
【図１３】トップボード部載置工程の状態図である。
【図１４】図１３におけるＸＩＶーＸＩＶ線拡大断面図である。
【図１５】図１４の状態からハンドツール部押圧するハンドツール部押圧工程の拡大断面図である。
【図１６】ハンドツール部およびトップボード部取り外し工程の状態図である。
【図１７】ハンドツール部およびトップボード部を取り外し、保護部材が携帯端末に取り付けられている状態を示した図である。
【発明を実施するための最良の形態】
【００１６】
以下、本実施例を説明する。本実施例の保護部材取り付け装置１０は、ベース部２０と、そのベース部２０に載置するトップボード部３０と、そのトップボード部３０に取り付けるためのハンドツール部４０と、を有するものである。【００１７】
ベース部２０は、携帯端末１００を固定するための携帯端末取り付け部２１を有する。携帯端末取り付け部２１は、携帯端末１００の外形に倣った形状の凹状を呈することが好ましい。従ってこの場合は、携帯端末１００が、その凹状の携帯端末取り付け部２１に嵌合することになり、携帯端末１００を、ベース部２０に固定することができる。【００１８】
ベース部２０はその形状が矩形状の板状を呈し、後述する携帯端末１００を収納することができる厚さ及び大きさであることが好ましく、合成樹脂で構成することが好ましい。【００１９】
また、ベース部２０は、トップボード部３０を、そのベース部２０上に配置したときに、そのベース部２０とトップボード部３０との位置を規定する係合部２２を有する。本実施例においては、ベース部２０の４隅付近に、それぞれその係合部２２を配置している。これら係合部２２は、ほぼ全体として円柱状を呈し、上端部がいわゆる面取りされ、その径が細くなる形状を呈するものである。なおこの高さは本実施例においては２０ミリメートル以下が好ましく、さらに１８ミリメートルであることが好ましい。【００２０】
また、ベース部２０は、トップボード部３０を、そのベース部２０上に配置したときにそのトップボード部２０を上方に浮上させておくための浮上部２３を有する。ここで浮上とは、ベース部２０上にトップボード部３０を置いたときのベース部２０と、トップボード部３０との間に隙間が生じることを言う。この隙間についてはさらに後述する。また、複数の浮上部２３を有する場合にその高さは同一であることが好ましい。トップボード部３０がベース部２０に対し平行に浮上するからである。また、その高さ、すなわち隙間は３ミリメートル以下が好ましい。また、本実施例においては、ベース部２０の４隅付近であって、上記係合部２２の内側に、それぞれ浮上部２３を有している。浮上部２３は、コイルバネ２３ａを蓋状の浮上上端部２３ｂ内に配置し、凹状のベース部２０の収納部２０ａ内に配置した構成である。また、浮上上端部２３ｂはコイルバネ２３ａによって上方に付勢されているが、一定以上、上方に突出しないように、浮上上端部２３ｂは、収納部２０ａと係合している。この場合、浮上上端部２３ｂは、コイルバネ２３ａによって、高さ３ミリメートルほど上方に浮上することが好ましく、より好ましくは２ミリメートルほどが好ましい。また、後述するようにベース部２０上に配置したトップボード部３０を下方に押圧する際に、浮上部２３がトップボード部３０に押圧され、その突出していた浮上部２３が、ベース部２０の本体と面一になるように押され、出没可能に配置されている。このように、浮上部２３は、クッション性を有するものである。従って、浮上部２３はクッション性を有する合成樹脂たとえば、ウレタン素材を使用することも好ましい、なお、この場合は、浮上部２３がトップボード部３０に押圧され、その突出していた浮上部２３が、ベース部２０の本体と面一にとはならない場合があるが、ベース部２０とトップボード部３０との間に配置された保護部材２００が一定の厚さを有するために特に問題とはならない。【００２１】
また、ベース部２０は、携帯端末取り出し部２５を有する。文字通り、携帯端末１００を、ベース部２０に配置したときにそのベース部２０から取り出すために配置したものである。携帯端末１００は、ベース部２０における凹状の携帯端末取り付け部２１に嵌合されているので、その取出しを容易にするために携帯端末取り付け部２１に隣接して設けられている。携帯端末取り出し部２５は、使用者の指が入る程度の大きさを有し、その角をまるめた凹状を呈するものである。【００２２】
また、ベース部２０は、携帯端末１００が図示しないカメラを有している場合に、そのカメラと干渉しないように、長円形状を呈するカメラ対応部２６を有している。これは長円形状を呈する孔である。また、擦り傷保護部２７は携帯端末の背面への擦り傷などから保護するためのマイクロファイバー生地が貼られ、また、脚部２８をそのベース部２０の本体の下部の４隅に設けている、これは合成樹脂またはゴム製が好ましく、図示しないテーブル上で保護部材２００を携帯端末１００に対して取り付け作業する際に滑り止めとなるものである。また、マーク部２９は広告などを表示する部分であり、これを配置することで後述する携帯端末１００の向きを規定することができる。すなわち、使用時における携帯端末１００の下方を規定するものである。【００２３】
次にトップボード部３０について説明する。トップボード部３０は、矩形の板状を呈し、透明な部材であることが好ましい。これはガラス、合成樹脂いずれも使用することができる。また、トップボード部３０の４隅は、それぞれＬ字状を呈する切り欠きを配置している。この切り欠きが係合受け部３１である。係合受け部３１は、上述のベース部２０とトップボード部３０との相対する位置を規定するためのものであり、ベース部２０における係合部２２と係合するものである。ここで、相対する位置を規定するとは、上述のベース部２０に、トップボード部３０を載置したときに、ベース部２０のある部分と、トップボード部３０のある部分が重なるように一致し、再びベース部２０に、トップボード部３０を載置したときにおいても、そのベース部２０のある部分と、そのトップボード部３０のある部分が重なるように一致するというものであり、その相対する位置関係が一致するということである。この効果については後述する。なお、本実施例における係合受け部３１は上記のとおり、Ｌ字状を呈する切り欠きであるが、円柱状のベース部２０における円柱状の係合部２２と係合する場合に、その円柱状の係合部２２と係合する円形状を呈する孔状のものであっても良い。【００２４】
また、トップボード部３０は、ハンドツール部４０と嵌合するための長方形状の孔で構成される嵌合部３２を有する。この嵌合部３２は、本実施例においてはトップボード部３０における短辺３０ａに、平行に配置されることが好ましいが、長辺３０ｂに、平行であっても良い（図示せず）。また、嵌合部３２はトップボード部３０における短辺３０ａに、平行に配置されている場合は、ほぼ長辺３０ｂを２分する位置に配置することが好ましい（図３参照）。後述するようにハンドツール部４０は、保護部材２００における中央付近をおさえつつ、そのトップボード部３０を水平に保ったまま、ハンドツール部４０によって押下させることができるからである。【００２５】
また、トップボード部３０は、押さえ孔部３４を配置することができる。押さえ孔部３４は、第１押さえ孔部３４ａと、第２押さえ孔部３４ｂと、を有することが好ましい。第１押さえ孔部３４ａは、四角形状を呈する孔であり、後述するようにここから使用者の指を挿し入れることができる。また、第１押さえ孔部３４ａは、トップボード部３０における短辺３１ａの中心から左方向にずれた位置に配置している。これは、携帯端末１００における図示しない背面に配置されたカメラレンズとの干渉を避けるためのものである。すなわち携帯端末１００において図示しないがこの携帯端末の種類によっては背面に画面を有する場合があり、この画面に保護部材を取り付ける際に上方を向いた背面カメラとの干渉を避けるためである。【００２６】
また、第２押さえ孔部３４ｂは、四角形状を呈する孔であり、ここから使用者の指を挿し入れることができる。また、第２押さえ孔部３４ｂは、トップボード部３０における短辺３１ａにおいてほぼ中心であって、その短辺３１ａの内部に配置している。【００２７】
嵌合部３２と第１押さえ孔部３４ａとを連結する第１連結部３５は、文字通り、孔状を呈するものであり、嵌合部３２との幅よりも狭い孔の幅を有している。同様に、嵌合部３２と第２押さえ孔部３４ｂとを連結する第２連結部３６についても、文字通り、孔状を呈するものであり、嵌合部３２との幅よりも狭い孔幅を有している。これについては、ハンドツール部４０と、第１連結部３５および、第２連結部３６との嵌合を避けるためである。【００２８】
次にハンドツール部４０について説明する。ハンドツール部４０は、取っ手部４１と、台部４２と、粘着部４３とを有するものである。取っ手部４１は文字通り、図示しない使用者がハンドツール部４０を把持するためのものであり、Ｕ字状を呈し、台部４２の上面であって、その台部４２の一端４２ａと他端４２ｂをつなぐように取り付けられている。【００２９】
台部４２は平面視ほぼ長方形状を呈し、その下面に、粘着部４３を有する。粘着部４３は平面視ほぼ長方形状を呈し、台部４２よりもその面積が小となっており、トップボード部３０における嵌合部３２と嵌合する。また、粘着部４３とはいってもその全体が粘着するものである必要がなく、下面部４３ａが粘着するものであれば足りる。したがって、たとえばその下面部４３ａは、マイクロサクションシートを使用することができる。また、再剥離可能な、粘着シートを使用することができる。また粘着部４３の厚さは、トップボード部３０の厚さとほぼ同様であることが好ましい。【００３０】
また、保護部材２００について説明する。保護部材２００は、保護部材本体２１０を具備する。保護部材本体２１０は、フィルム状のシートまたは合成樹脂で作成したものまたはガラス製のものいずれも使用することができる。折り曲げ可能なフィルム状のシート以外の硬質な合成樹脂で作成したものまたはガラス製のものを使用することができる点で好ましい。また、これらについては、市販されている透明なもの、有色透明なもの、または紫外線をカットするいわゆるＵＶカットフィルムなどを使用することができる。また、保護部材本体２１０の裏面に、画面１１０に取り付けるための粘着部２１０ａを有し、さらにその粘着部２１０ａに剥離紙２３０を有している。なお、この点は周知である。【００３１】
なお、保護部材２００は、保護部材取り付け装置１０を構成するものではない。また、保護部材２００の裏面には、保護部材２００と同様の大きさの剥離紙２３０を有する。従ってその剥離紙２３０を剥がせば、粘着面２１０ａが表れる構成である。これも周知である。【００３２】
また携帯端末１００についても簡単に説明する。携帯端末１００は画面１１０が配置されており、たとえば本実施例に使用するものであれば画面つきのゲーム機も含まれる趣旨であり、いわゆるスマートフォント呼ばれる携帯電話は言うに及ばず、タブレット型コンピュータも含まれる。【００３３】
次に保護部材取り付け装置１０を使用して、携帯端末１００に保護部材２００を取り付ける保護部材の取り付け方法について説明する。保護部材取り付け装置１０を使用する保護部材２００の取り付け方法は、以下のとおり、携帯端末１００を、ベース部２０に配置する、携帯端末配置工程５００と、携帯端末１００に、保護部材２００を載置する保護部材載置工程５１０と、保護部材２００上に、トップボード部３０を配置するトップボード部配置工程５２０と、トップボード部３０における嵌合部３２に、ハンドツール部４０を配置するハンドツール部配置工程５３０と、ハンドツール部４０を押圧して、ハンドツール部４０と保護部材２００を密着させるハンドツール部密着工程５４０と、ハンドツール部４０を持ち上げるハンドツール部持ち上げ工程５５０と、そのハンドツール部持ち上げ工程５５０によって持ち上げたハンドツール部４０とトップボード部３０と保護部材２００から、保護部材２００に付いている剥離紙２３０をはがす、剥離紙除去工程５６０と、トップボード部３０を、携帯端末１００が配置されているベース部２０に載置する、トップボード部載置工程５７０と、ハンドツール部４０を再び押圧するハンドツール部押圧工程５８０と、ハンドツール部４０およびトップボード部３０取り外し工程５９０と、を有する保護部材２００の取り付け方法である。【００３４】
携帯端末１００を、ベース部２０に配置する、携帯端末配置工程５００について説明する。携帯端末配置工程５１０は、携帯端末１００において使用する際に下になる部分１２０を、マーク部２９に近接する位置に配置するように、ベース部２０における携帯端末１００の外形に倣った形状の凹状を呈する携帯端末取り付け部２１に、嵌合するように配置する（図６参照）。【００３５】
次に、その携帯端末１００に、保護部材２００を載置する保護部材載置工程５１０について説明する。上述の携帯端末配置工程５００において、ベース部２０に携帯端末１００を、配置した後に、この携帯端末１００の上に、保護部材２００を載置する。ここで、保護部材２００を携帯端末１００の画面１１０に合わせるように載置する。すなわち、保護部材２００と、携帯端末１００の画面１１０とのそれらの相対する位置がずれないように載置する。【００３６】
次に、保護部材２００上に、トップボード部３０を載置するトップボード部配置工程５２０について説明する。ベース部２０に携帯端末１００と保護部材２００を載置した上にさらにトップボード部３０を、配置する。このとき、トップボード部３０の４隅に配置した係合受け部３１と、ベース部２０の４隅付近に、それぞれ配置した係合部２２とをそれぞれ係合するように、配置する。これにより、ベース部２０とトップボード部３０との相対する位置が規定され、ベース部２０とトップボード部３０との位置がずれることはない。また、ベース部２０と携帯端末１００、及びベース部２０と、保護部材２００との位置も規定され、それらがずれることなく配置される。なお、ベース部２０に携帯端末１００と保護部材２００を配置した上にさらにトップボード部３０を、配置したときに、その携帯端末１００と保護部材２００との相対する位置に若干のずれがあった場合は、押さえ孔部３４すなわち、第１押さえ孔部３４ａあるいは第２押さえ孔部３４ｂに図示しない使用者の指を入れ、保護部材２００に触れて、そのずれを修正することができる。なお、この場合、ベース部２０において浮上部２３を配置している場合は、その浮上部２３のよってトップボード部３０を支え、若干の隙間が生じているので、すなわちトップボード部３０を浮上させているので、トップボード部３０に保護部材２００が挟まれることなくその修正は容易である。また、トップボード部３０が透明なものである場合は、保護部材２００と、携帯端末１００とのずれについて、図示しない使用者が目視しやすいのでその修正はさらに容易となる。【００３７】
次に、トップボード部３０における嵌合部３２に、ハンドツール部４０を配置するハンドツール部配置工程５３０について説明する。まずあらかじめハンドツール部４０における粘着部４３に図示しない剥離紙がついている場合にそれを取り外しておき、トップボード部３０における嵌合部３２に、ハンドツール部４０を嵌合させるように配置する。これにより、トップボード部３０と、ハンドツール部４０との相対する位置が規定され、トップボード部３０と、ハンドツール部４０との位置がずれることはない。このとき、粘着部４３が、嵌合部３２の嵌合し、台部４２はトップボード部３０上に載置される。ここで上記のとおり、トップボード部３０の厚みと、粘着部４３がほぼ同様であれば、粘着部４３とトップボード部３０とほぼ面一となる。【００３８】
次にハンドツール部４０を押圧して、ハンドツール部４０と保護部材２００を密着させるハンドツール部密着工程５４０について説明する。上記のとおり、トップボード部３０における嵌合部３２に、ハンドツール部４０を配置している状態で、このハンドツール部４０を図示しない使用者が押圧する。これにより、ハンドツール部４０とともに、トップボード部３０が下方に移動し、ハンドツール部４０における粘着部４３が、保護部材２００に密着する。このときベース部２０に浮上部２３を有する場合にその浮上部２３が存在することで、浮上する位置にあるトップボード部３０が、ハンドツール部４０によって押圧され、トップボード部３０がその突出していた浮上部２３を、没するように押圧する。このとき複数の浮上部２３の高さは同一である場合は、トップボード部３０が水平状態を保ったまま押圧されるので、ハンドツール部４０が傾くことなく平行を保ったまま、保護部材２００と密着する。なお、このときにいまだ保護部材２００の剥離紙２３０は取り付けられたままである。従って、ハンドツール部４０を押圧しても、この時点では保護部材２００は、携帯端末１００に取り付けられることはない。【００３９】
次に、ハンドツール部４０を持ち上げるハンドツール部持ち上げ工程５５０について説明する。これは、ハンドツール部４０のみを持ち上げるということではなく、ハンドツール部４０に密着された保護部材２００と、その間に位置するトップボード部３０と、を持ちあげるというものである。後述するように次に再びこれらをベース部２０上に載置したとしても、ベース部２０と携帯端末１００と、保護部材２００と、トップボード部３０とハンドツール部４０と、それらの相対する位置にずれはない。【００４０】
次に、ハンドツール部持ち上げ工程５５０によって持ち上げたハンドツール部４０とトップボード部３０と保護部材２００から、保護部材２００に付いている剥離紙２３０をはがす、剥離紙除去工程５６０について説明する。図１２において、破線で示すように保護部材２００に付いている剥離紙２３０を剥がす。剥がれる状態の剥離紙２３０が記載されている。このように保護部材２００に付いている剥離紙２３０を完全に剥がして取り去ると保護部材２００の裏面に粘着面２１０ａが露出する。【００４１】
次に、トップボード部３０を、携帯端末１００が配置されているベース部２０に載置する、トップボード部載置工程５７０について説明する。トップボード部載置工程５７０は、粘着面２１０ａが露出した状態において、再びハンドツール部４０に密着された保護部材２００と、その間に位置するトップボード部３０とを、携帯端末１００が配置されているベース部２０に載置するというものであり、トップボード部３０の４隅に配置した係合受け部３１と、ベース部２０の４隅付近に、それぞれ配置した係合部２２とをそれぞれ係合するように、配置する。これにより、ベース部２０とトップボード部３０との相対する位置が規定され、ベース部２０とトップボード部３０との位置がずれることはない。また、ベース部２０と携帯端末２００、及びベース部２０と保護部材２００と、の位置の相対する位置も規定される。従って、ベース部２０と、携帯端末２００と、保護部材２００と、トップボード部３０との相対する位置が規定され、それらがずれない状態で再び配置される。【００４２】
次に、ハンドツール部４０を再び押圧するハンドツール部押圧工程５８０について説明する。ハンドツール部押圧工程５８０は、トップボード部３０における嵌合部３２に、ハンドツール部４０を配置している状態で、このハンドツール部４０を図示しない使用者が押圧する。これにより、ハンドツール部４０とともに、トップボード部３０が下方に移動し、ハンドツール部４０が、保護部材２００を押圧する。このときベース部２０に浮上部２３を有する場合にその浮上部２３が存在することで、浮上する位置にあるトップボード部３０が、ハンドツール部４０によって押圧され、トップボード部３０がその突出していた浮上部２３を、没するように押圧する。【００４３】
なお、今度は保護部材２００の剥離紙２３０が剥がされているので保護部材２００は、携帯端末１００に取り付けられることになる。その際に、押さえ孔部３４における第１押さえ孔部３４ａまたは第２押さえ孔部３４ｂを有する場合に、押さえ孔部３４における第１押さえ孔部３４ａまたは第２押さえ孔部３４ｂに、使用者の指を差し入れ、保護部材２００をさらに押さえつけ、その保護部材２００を、携帯端末１００に密着させることもできる。また、その場合において、上記のとおり押さえ孔部３４における第１押さえ孔部３４ａまたは第２押さえ孔部３４ｂに、使用者の指を差し入れ、保護部材２００をさらに押さえつけ、その保護部材２００を、携帯端末１００に密着させることで皺や空気ダマリができにくいという効果を奏する。【００４４】
複数の浮上部２３の高さが同一である場合は、トップボード部３０が平行を保ったまま下方に移動するので、保護部材２００が傾いて押圧されることがなく携帯端末１００にずれることなく保護部材２００を取り付けることができる。【００４５】
次に、ハンドツール部４０およびトップボード部３０取り外し工程６００について説明する。ハンドツール部４０をトップボード部３０から取り外す。ハンドツール部４０は、トップボード部３０における嵌合部３２に嵌合し、かつ保護部材２００と密着している。その状態において、保護部材２００を押さえつけつつ、ハンドツール部４０およびトップボード部３０を取り外すことができる。また、押さえ孔部３４における第１押さえ孔部３４ａまたは第２押さえ孔部３４ｂを有する場合に、その押さえ孔部３４における第１押さえ孔部３４ａまたは第２押さえ孔部３４ｂに、使用者の指を差し入れ、保護部材２００をさらに押さえつけつつ、ハンドツール部４０およびトップボード部３０を取り外せば、保護部材２００を携帯端末１００に取り付けることができる。これらの場合に保護部材２００の粘着面２１０ａに使用者の手がふれることなく、正確な位置に保護部材２００を取り付けることができる（図１７参照）。従って、保護部材２００を、簡便で正確に、貼り付け位置を合わせることができ、可及的に埃や指紋の付着を防止することができる。また、その後携帯端末１００を、ベース部２０から取り出すため図示しない使用者の手を携帯端末取り出し部２５に差し入れて取り出すことができる。また、従来の装置のように折り曲げ自由な軟質のフィルムのみを貼り付けるものではなく、硬質なガラス素材の保護部材を使用することもできる。
【符号の説明】
【００４６】
１０  保護部材取り付け装置。
２０  ベース部
２１  携帯端末取り付け部
２２  係合部
２３  浮上部
３０  トップボード部
３２  嵌合部
３４  押さえ孔部
４０  ハンドツール部
４３  粘着部
１００  携帯端末
２００  保護部材
５００  携帯端末配置工程
５１０  保護部材係合配置工程
５２０  トップボード部配置工程
５３０  ハンドツール部配置工程
５４０  ハンドツール部密着工程
５５０  ハンドツール部持ち上げ工程
５６０  剥離紙除去工程
５７０  トップボード部再配置係合工程
５８０  ハンドツール部押圧工程
５９０  ハンドツール部およびトップボード部取り外し工程
【図１】
2019130575.tif 000003
【図２Ａ】
2019130575.tif 000004
【図２Ｂ】
2019130575.tif 000005
【図２Ｃ】
2019130575.tif 000006
【図２Ｄ】
2019130575.tif 000007
【図３】
2019130575.tif 000008
【図４】
2019130575.tif 000009
【図５】
2019130575.tif 000010
【図６】
2019130575.tif 000011
【図７】
2019130575.tif 000012
【図８】
2019130575.tif 000013
【図９】
2019130575.tif 000014
【図１０】
2019130575.tif 000015
【図１１】
2019130575.tif 000016
【図１２】
2019130575.tif 000017
【図１３】
2019130575.tif 000018
【図１４】
2019130575.tif 000019
【図１５】
2019130575.tif 000020
【図１６】
2019130575.tif 000021
【図１７】
2019130575.tif 000022
【国際調査報告】
2019130575.tif 000023
2019130575.tif 000024